(57)【要約】      （修正有）【課題】懐中電燈とスタンドの機能を多重的に得て、スタンドが自体モジュール化で、取りやすく、操作も簡単で、ユーザー体験に優れた実用性を具備して、またコストが節約できるモジュール多重式スタンドを提供する。【解決手段】仕事面に置いて上向き設置の支え座１１及び電源入力口１２を持つ台座１０と、台座に置いて且つ指向性を含める照明機能及び蓄圧件を持つ集光頭２１及び集光頭と蓄圧件に連接するパワー入力インタフェース及び活動的に前記支え座に挿し込んでつなぐ尾座を有すランプ本体２０と、集光頭から出る光の範囲内に妨げて且つその妨げる光線が仕事面に反射的拡散される拡光面を有すマスク３０と、を具備する。台座の上に前記尾座が支え座に固定して挿し込んでつなげる時に、パワー入力インタフェースに給電するパワー出力インタフェースを有する。【選択図】図１
0003181814.tif 000002
【実用新案登録請求の範囲】
【請求項１】
仕事面に置いて電源入力口及び上向き設置の支え座を持つ台座と、前記台座の上に置いて且つ指向性を含める照明機能及び蓄圧件を持つ集光頭及び集光頭と蓄圧件に連結するパワー入力インタフェース及び活動的に前記支え座に挿し込んでつなぐ尾座を有すランプ本体と、集光頭から出る光の範囲内に妨げて且つその妨げる光線が仕事面に反射的拡散される拡光面を有すマスクと、を具備して、前記台座の上に前記尾座が支え座に固定して挿し込んでつなげる時にパワー入力インタフェースに給電するパワー出力インタフェースを有することを特徴とするモジュール多重式スタンド。
【請求項２】
前記パワー入力インタフェースには前記尾座に位置する入力導電接点が設けられて、前記パワー出力インタフェースには支え座に位置する出力導電接点が設けられて、前記入力導電接点と出力導電接点が前記尾座で支え座に固定して挿し込んでつなげると、連通位置に位置することを特徴とする請求項１記載のモジュール多重式スタンド。
【請求項３】
前記パワー入力インタフェースと前記パワー出力インタフェースが非接触式無線電力伝送モジュールに設けられることを特徴とする請求項１記載のモジュール多重式スタンド。
【請求項４】
前記蓄圧件に充電式バッテリーを含むことを特徴とする請求項１記載のモジュール多重式スタンド。
【請求項５】
前記蓄圧件にスーパーコンデンサを含むことを特徴とする請求項１記載のモジュール多重式スタンド。
【請求項６】
前記ランプ本体が直筒型に設けられ、前記集光頭と前記尾座がその両端に設置されて、前記集光頭の機械軸と前記ランプ主体が同軸に設けられることを特徴とする請求項１記載のモジュール多重式スタンド。
【請求項７】
前記台座の上に拡散カバーを設け、当拡散カバーのカバーエリアが前記集光頭及び前記拡光面によって反射される反射ビーム投影から構成されることを特徴とする請求項１記載のモジュール多重式スタンド。
【請求項８】
前記集光頭が発光ダイオードの光源に採用されることを特徴とする請求項１記載のモジュール多重式スタンド。
【請求項９】
前記集光頭の機械軸がランプ主体と台座を固定する時に垂直に上向けて、前記拡光面が垂直に下向けて前記集光頭の上方に位置されることを特徴とする請求項１記載のモジュール多重式スタンド。
【請求項１０】
前記電源入力口が動かせて周辺機器の直流電源レギュレータに連結されることを特徴とする請求項１記載のモジュール多重式スタンド
【考案の詳細な説明】
【技術分野】
【０００１】
本新案は室内照明装置に関し、特にモジュール多重式スタンドに関連する。
【背景技術】
【０００２】
スタンドは室内照明製品としてよく見られる。通常のスタンドは仕事面の照明機能を持つけれども、それ以外の機能を持てない。一方、室内インテリア照明製品の中で、携帯照明機器も、例えば懐中電燈も甚だしきに至っては必須の道具がよくある。普通、スタンドと懐中電燈は習慣や製品の中にいかなる関連性を持たない。製品設計としてモジュール化と多重式で実践と生産に利益があり、関連の製品が構造と使用から多重でき、一方、製品のコストが下がり、もう一方では、ユーザーの開発もでき、新たなユーザー体験が持てる。以上の通り、スタンドと携帯の懐中電燈はこの方面の応用にあまりみられない。どのようにこの二者は多重的に設計するか、多重製品設計の新たな要求に与える。
【考案の概要】
【考案が解決しようとする課題】
【０００３】
上記のスタンドと懐中電燈を多重しない現状に対して、本新案はモジュール多重式スタンドを提案する。
【課題を解決するための手段】
【０００４】
仕事面に置いて電源入力口及び上向き設置の支え座を持つ台座と、前記台座の上に置いて且つ指向性を含める照明機能及び蓄圧件を持つ集光頭及び集光頭と蓄圧件に連結するパワー入力インタフェース及び活動的に前記支え座に挿し込んでつなぐ尾座を有すランプ本体と、集光頭から出る光の範囲内に妨げて且つその妨げる光線が仕事面に反射的拡散される拡光面を有するマスクと、を具備して、その中、前記台座の上に前記尾座が支え座に固定して挿し込んでつなげる時にパワー入力インタフェースに給電するパワー出力インタフェースを有するようにしたモジュール多重式スタンド。
【０００５】
本考案提案の優先者として、以下のような面に改善している。
【０００６】
好ましい一実施例では、前記パワー入力インタフェースには尾座に位置する入力導電接点が設けられて、前記パワー出力インタフェースには支え座に位置する出力導電接点が設けられて、前記入力導電接点と出力導電接点が前記尾座で支え座に固定して挿し込んでつなげると、連通位置に位置される。
【０００７】
好ましい一実施例では、前記パワー入力インタフェースと前記パワー出力インタフェースが非接触式無線電力伝送モジュールに設けられる。
【０００８】
好ましい一実施例では、前記蓄圧件に充電式バッテリーが含まれる。
【０００９】
好ましい一実施例では、前記蓄圧件にスーパーコンデンサが含まれる。
【００１０】
好ましい一実施例では、前記ランプ本体が直筒型に設けられ、前記集光頭と前記尾座がその両端に設置されて、前記集光頭の機械軸と前記ランプ主体が同軸に設けられる。
【００１１】
好ましい一実施例では、前記台座の上に拡散カバーを設け、当拡散カバーのカバーエリアが前記集光頭及び前記拡光面によって反射される反射ビーム投影から構成される。
【００１２】
好ましい一実施例では、前記集光頭が発光ダイオードの光源に採用される。
【００１３】
好ましい一実施例では、前記集光頭の機械軸がランプ主体と台座を固定する時に垂直に上向けて、前記拡光面が垂直に下向けて前記集光頭の上方に位置される。
【００１４】
好ましい一実施例では、前記電源入力口が動かせて周辺機器の直流電源レギュレータに連結される。
【考案の効果】
【００１５】
前記技術提案が採用されて以下の技術効果を得る。
【００１６】
第一に、ランプ本体は懐中電燈とスタンドの機能を多重的に得て、取りやすく、操作も便利するので、ユーザー体験に優れた実用性を具備している。
【００１７】
第二に、スタンドは自体モジュール化で、その部品や組み立てなどがすべてセットの懐中電燈に統合されて、金型や生産周期や原材料などのコストが下がると同時に、組立も簡単で、規模の生産に利益があって、低い投入で高い効率に引き換えて製品の自身の価値が向上できる。
【００１８】
第三に、無線電力伝送形式を選択するパワー出力インタフェースまたはパワー入力インタフェースは台座機能をより一層に拡大して、製品の機能が拡充しやすい。
【００１９】
第四に、外付けの直流調整電源の形式は安全規範に満足しやすく、製品認証と使用安全に有利される。
【図面の簡単な説明】
【００２０】
【図１】本新案の一実施例の側面を示す図である。
【図２】図１の実施例の分解状態を示す図である。
【図３】図１の実施例の台座１０の上面図である。
【考案を実施するための形態】
【００２１】
以下には、図と実施の形態を見ながら本新案の技術提案を説明しようとする。
【００２２】
図１のように、本新案の一実施例の側面を示す図である。図２は図１の実施例の分解状態を示す図である。図３は図１の実施例の台座１０の上面図である。この三つの図を結び付けて説明を加える。
【００２３】
台座１０が平たい矩形板に設けられ、仕事面に置きて、支え座１１が垂直筒型構造に設けられ、その開口が上向きに設置される。台座１０の上に電源入力口１２が設けられ、当電源入力口１２が外付けの低圧直流調整電源（未表示）に連接され、低圧直流の入力形式を採用したので、製品認証が合格しやすく、及びユーザーの使用安全が保証される。
【００２４】
ランプ本体２０が台座１０の上に置きて、その下端の尾座２２が支え座１１の内に挿しこまれて、また、尾座２２でパワー入力インタフェース２３が設けられ、台座１０上のパワー出力インタフェース１３と整合して対応して接続されて、この類のインタフェースの整合が多種の方式に採用されて、甚だしきに至っては非接触型の無限電力伝送形式に採用されて、台座１０が多種無限パワー入力の設備電力に開拓される、例えばモバイルデジタル機器などである。しかし、本実施例の中では、接触式の直接連結方式が採用されて、台座１０の電力が燈主体２０の内部に伝送される。集光頭２１の機械軸とランプ本体２０が同軸にする。
【００２５】
ランプ本体２０には指向性を含める照明機能及び蓄圧件を持つ集光頭２１を有し、当集光頭２１がＬＥＤ光源に設けられ、光学設計に二度付き、その光出力を集めさせる形態に設けられ、すなわち懐中電燈の典型的なビーム形に設けられる。
【００２６】
ランプ本体２０の上方にマスク３０を有し、前記集光頭２１から出る光の範囲が当マスク３０に妨げて、マスク３０の妨げる光線が仕事面に反射して拡散され、マスクの下の拡光面３１がこの機能によって達成されて、当拡光面３１が乱反射や漫透過反射効果に設けられ、集光頭２１から射出される狭いビーム角の一部分が比較的広いビーム角で仕事面に反射され、もう一部分が透過反射によって屈折反射されてから上方に向いて拡散されていく。その中、反射を経由するビーム角が最後に拡散カバー４０によって透過反射されていき、当拡散カバー４０と支え座１１が互いに固定されると同時に、マスク３０の支えとして、その拡散カバーのカバーエリアがすべての集光頭２１や拡光面３１から反射されてくる反射ビーム投影を含む。
【００２７】
したがって、ランプ本体２０が懐中電灯に設けられ、その内部にエネルギー貯蔵とするためのリチウムイオン電池を有し、リチウムイオン電池がパワー入力インタフェース２３によって充電されて、当ランプ本体２０が支え座１１に固定されて、マスク３０や拡散カバー４０が着席固定されると、ランプが全体的にスタンドの姿に構成されて、電源入力口１２の電力が集光頭２１に供給して発光されて、発光した光線が拡光面３１や拡散カバー４０によって処理されてから、具合がよい、均一で柔らかなデスクトップの照明光を得て、若しランプ本体２０が支え座１１から取出されると、懐中電灯として単独に使えて、携帯し易くて緊急時の照明器具として機動的に使える。その中のリチウムイオン電池が集光頭２１の仕事に供給され続け、終りまで放電される。実際的に、集光頭２１の必要な蓄圧件も大きな電容量のスーパーコンデンサに設けられ、集光頭２１内のＬＥＤ光源に配合して使用され、さらに装置の複雑性を簡素化し、電池の汚染を減らす。本例は集光頭２１の供給素子としてリチウムイオン電池を使用している。
【００２８】
以上のように、本新案の実施例が体現された技術提案はモジュール化、多重の特徴を持つ。ランプ本体は懐中電燈とスタンドの機能を多重的に得て、取りやすく、操作も簡単で、ユーザー体験に優れた実用性を具備して、もう一方、スタンドが自体モジュール化で、その部品や組み立てなどがすべてセットの懐中電燈に統合され、金型や生産周期や原材料などのコストを下げ、組み立てが簡単で、規模の生産に利益があって、低い投入で高い効率に引き換え製品の自身の価値が向上できる。
【００２９】
以上で述べたのはわずか本新案の好ましい一実施の形態だけである。しかし、本新案のデザインアイディアはこれに限定されるものではなく、すなわち、本新案のアイディアに基づいて変形させることが可能であり、それらは本新案の範囲から排除するものではない。
【符号の説明】
【００３０】
１０  台座
１１  支え座
１２  電源入力口
１３  パワー出力インタフェース
２０  ランプ本体
２１  集光頭
２２  尾座
２３  パワー入力インタフェース
３０  マスク
３１  拡光面
４０  拡散カバー
【図１】
0003181814.tif 000003
【図２】
0003181814.tif 000004
【図３】
0003181814.tif 000005